(57)【要約】【課題】利用者の顔画像および利用者の手に属する生体情報を取得する画像取得方法および装置において、顔写真の撮影と同時に、認証に利用可能な手に属する生体情報を容易に確実に取得し、利用者のすりかわりを防止する。【解決手段】画像取得装置１０は、利用者１４の手に属する生体情報および顔画像を同時に取得するものである。画像取得装置１０は、認証に利用可能な利用者１４の手に属する生体情報が取得可能な状態にあるか否かを判定し、該判定における判定結果を表示する。この判定において、取得可能な状態にあると判定されたときにのみ、利用者１４の手に属する生体情報および顔画像の同時取得を可能にし、利用者の手に属する生体情報および顔画像を同時に取得する指令信号を入力するフットスイッチ３７を作動可能にする。【選択図】図１
2007272523.tif 000002
【特許請求の範囲】
【請求項１】
利用者の手に属する生体情報および前記利用者の顔画像を同時に取得する画像取得方法において、
認証に利用可能な利用者の手に属する生体情報が取得可能な状態にあるか否かを判定し、
該判定における判定結果を表示し、
該判定において取得可能な状態にあると判定されたときにのみ、前記利用者の手に属する生体情報および前記利用者の顔画像の同時取得を可能にすることを特徴とする画像取得方法。
【請求項２】
利用者の手に属する生体情報および前記利用者の顔画像を同時に取得する画像取得装置において、
認証に利用可能な利用者の手に属する生体情報が取得可能な状態にあるか否かを判定する判定手段と、
該判定手段による判定結果を表示する表示手段と、
該判定手段により取得可能な状態にあると判定されたときにのみ、前記利用者の手に属する生体情報および前記利用者の顔画像の同時取得を可能にする制御手段とを備えたことを特徴とする画像取得装置。
【請求項３】
前記利用者の手に属する生体情報および前記利用者の顔画像を同時に取得する指令信号を入力する入力手段を備え、
前記制御手段が、前記判定手段により取得可能と判定されたときにのみ、前記入力手段を作動可能にするものであることを特徴とする請求項２記載の画像取得装置。
【請求項４】
前記入力手段がフットスイッチであることを特徴とする請求項３記載の画像取得装置。
【請求項５】
前記表示手段が、前記利用者の手に属する生体情報および前記利用者の顔画像の同時取得中に前記利用者が目線を変えることなく視認可能な位置に判定結果を表示するものであることを特徴とする請求項２から４のいずれか１項記載の画像取得装置。
【請求項６】
前記表示手段が、前記判定結果を色により表示するものであることを特徴とする請求項５記載の画像取得装置。
【発明の詳細な説明】
【技術分野】
【０００１】
本発明は、主として身分証明書や磁気カードなどの個人に帰属する書札等に添付する画像を取得する画像取得方法および装置に関するものであり、より詳細には利用者の顔画像の取得に加え、利用者の手に属する生体情報を取得する画像取得方法および装置に関するものである。
【背景技術】
【０００２】
現在、街頭には、無人で利用者の顔写真を撮影する画像取得装置が設置されている。このような画像取得装置は、撮影した顔写真を普通紙やシールなどの紙に印刷して利用者に提供する。
【０００３】
また、最近ではセキュリティ性を高めるために生体情報が個人認証に用いられるようになっており、顔写真の撮影とともに、指紋などの生体情報を取得可能な画像取得装置も提案されている（例えば、特許文献１参照）。特許文献１に記載の装置では、顔写真を撮影した後、生体情報を取得している。顔写真撮影と生体情報を取得する間に、利用者がすりかわった場合には、その記録が残るように、生体情報の取得の前後に、利用者の顔を含む監視写真を撮影している。
【特許文献１】特開２００５−１９６３８８号公報
【発明の開示】
【発明が解決しようとする課題】
【０００４】
しかしながら、特許文献１に記載の装置のように監視写真を撮影することは、すりかわりを抑制する効果はあるが、生体情報の取得および顔写真撮影の現場において、利用者のすりかわりを防止することは困難である。
【０００５】
利用者のすりかわりを防止するために、顔写真の撮影と生体情報の取得を同時に行う顔画像取得装置も考案されている。しかし、生体情報の取得に慣れていない利用者にとっては、顔写真の撮影と同時に、認証に利用可能な生体情報を取得することは容易ではない。一般に、顔写真の撮影では正面顔を撮影するため、利用者の目線は正面を向いたものとなる。そのため、例えば、指紋等の手に属する生体情報を顔写真の撮影と同時に取得する場合には、取得時に手元の確認が十分にできず、必ずしも認証に利用可能な生体情報を取得できないという問題がある。
【０００６】
本発明は、上記の事情に鑑みてなされたものであり、利用者の顔画像および前記利用者の手に属する生体情報を取得する画像取得方法および装置において、顔写真の撮影と同時に、認証に利用可能な手に属する生体情報を容易に確実に取得し、利用者のすりかわりを防止することができる画像取得方法および装置を提供することを目的とするものである。
【課題を解決するための手段】
【０００７】
本発明の画像取得方法は、利用者の手に属する生体情報および前記利用者の顔画像を同時に取得する画像取得方法において、認証に利用可能な利用者の手に属する生体情報が取得可能な状態にあるか否かを判定し、該判定における判定結果を表示し、該判定において取得可能な状態にあると判定されたときにのみ、前記利用者の手に属する生体情報および前記利用者の顔画像の同時取得を可能にすることを特徴とするものである。
【０００８】
また、本発明の画像取得装置は、利用者の手に属する生体情報および前記利用者の顔画像を同時に取得する画像取得装置において、認証に利用可能な利用者の手に属する生体情報が取得可能な状態にあるか否かを判定する判定手段と、該判定手段による判定結果を表示する表示手段と、該判定手段により取得可能な状態にあると判定されたときにのみ、前記利用者の手に属する生体情報および前記利用者の顔画像の同時取得を可能にする制御手段とを備えたことを特徴とするものである。
【０００９】
上記画像取得装置において、前記利用者の手に属する生体情報および前記利用者の顔画像を同時に取得する指令信号を入力する入力手段を備え、前記制御手段が、前記判定手段により取得可能と判定されたときにのみ、前記入力手段を作動可能にするようにしてもよい。
【００１０】
前記入力手段としては、利用者の足元に配置されて利用者が足で作動可能なフットスイッチや、利用者の視線を検出して作動する視線スイッチや、利用者の発生する音声を認識して作動する音声スイッチ等を用いてもよい。
【００１１】
さらに、前記表示手段が、前記利用者の手に属する生体情報および前記利用者の顔画像の同時取得中に前記利用者が目線を変えることなく視認可能な位置に判定結果を表示するようにしてもよい。その際に、前記表示手段が、前記判定結果を色により表示するようにしてもよい。
【００１２】
なお、ここで「手に属する生体情報」とは、指紋、嘗紋、嘗形、指静脈パターン、手のひら静脈パターンなどである。
【００１３】
なお、「認証に利用可能な利用者の手に属する生体情報が取得可能な状態にあるか否か」の判定は、様々な方法を用いることができる。例えば、接触式の生体情報取得装置の場合には、接触面積が所定大きさ以上か否かにより判定するようにしてもよく、特徴点を抽出する生体情報取得装置の場合には、利用者の手に属する生体情報および顔画像を同時に取得する前に、手に属する生体情報を簡易的に予備取得し、そのときに所定数以上の特徴点を取得できたか否かにより判定するようにしてもよい。
【発明の効果】
【００１４】
本発明の画像取得方法および装置は、認証に利用可能な利用者の手に属する生体情報が取得可能な状態にあるか否かを判定し、該判定における判定結果を表示し、取得可能な状態にあると判定されたときにのみ、前記利用者の手に属する生体情報および前記利用者の顔画像の同時取得を可能にするようにしている。これにより、利用者は、表示される判定結果を確認しながら、取得可能な状態にあると判定されるように手を配置し、取得可能な状態にあると判定された後は、その状態を維持したまま顔を顔画像取得装置に向けるだけでよく、顔写真の撮影と同時に認証に利用可能な手に属する生体情報を容易に確実に取得でき、利用者のすりかわりを防止することができる。
【００１５】
ここで、前記利用者の手に属する生体情報と前記利用者の顔画像とを同時に取得する指令信号を入力する入力手段を備え、前記制御手段が、前記判定手段により取得可能と判定されたときにのみ、前記入力手段を作動可能にするようにすれば、認証に利用できない手に属する生体情報が無駄に取得されるのを防止することができる。
【００１６】
前記入力手段がフットスイッチであれば、同時取得の指令信号を入力するときに、手を使用する必要がないため、認証に利用可能な利用者の手に属する生体情報が取得可能な状態にあると判定された状態を維持したまま、容易に手に属する生体情報と前記利用者の顔画像とを同時に取得する指令信号を入力することができる。
【００１７】
前記表示手段が、前記利用者の手に属する生体情報および前記利用者の顔画像の同時取得中に前記利用者が目線を変えることなく視認可能な位置に判定結果を表示するものであれば、判定結果を視認するために顔の向きや目線を移動させる必要がないため、顔画像を取得するのに好適な姿勢や目線を維持したまま、容易に判定結果を確認することができる。
【００１８】
前記表示手段が、色により判定結果を表示するものであれば、文字等を読む必要がなく、一目で容易に判定結果を認識することができる。
【発明を実施するための最良の形態】
【００１９】
以下、図面を参照して本発明の一実施の形態である画像取得装置および方法について説明する。図１は本発明の第１の実施形態である画像取得装置１０の概略構成図である。本画像取得装置１０は、全体的に直方体の筐体を有し、大きさは高さ２．０ｍ、幅１．４ｍ程度である。一例として、図２に装置１０の外観を示す。図１に示すように、装置１０は幅７５ｃｍ程度の撮影室１２を含み、利用者１４は撮影室１２に設けられた椅子１６に座って撮影を行う。
【００２０】
画像取得装置１０は撮影室１２以外の部分が上段１８と、中段２０と、机部２１を有する下段２２とに分かれている。中段２０には顔画像取得手段であるデジタルカメラ２４と、コントローラ３３とが設置されている。コントローラ３３は、デジタルカメラ２４の制御を含む、画像取得装置１０全体の動作を制御するとともに、画像処理等の各種処理を行うものである。デジタルカメラ２４のレンズの画角αは広く、撮影室１２の背面壁２７の高さ６０ｃｍ〜１７０ｃｍ程度の範囲をカバーする。したがって、利用者１４が椅子１６に座った時、少なくとも頭部１５および胸部１７を確実にカバーでき、利用者１４の身長に依存しない撮影が可能である。
【００２１】
上段１８には照明装置２５、ＣＲＴディスプレイ２６およびスピーカ２９が配置されている。スピーカ２９は利用者１４に対して操作指示を音声により伝える装置である。照明装置２５、ＣＲＴディスプレイ２６およびスピーカ２９はコントローラ３３に接続されている。
【００２２】
照明装置２５は撮影に十分な明るさを保つために撮影室１２を照らす照明である。照明装置２５は、色温度が段階的に異なる複数種類の照明光を切換えて照射する機能を有する。例えば、色温度約９０００Ｋの青白い光から色温度約３０００Ｋの赤い光までの間で３種類の照明光を照射し、取得される利用者１４の顔画像の肌色が異なるようにする。照明光の切換は、白色光の光源を用いて複数色の色フィルタの切換えにより実施してもよく、あるいは、複数色の発光ダイオード等の光源を用意して発光させる光源の色の組合せの切換えにより実施してもよい。
【００２３】
ＣＲＴディスプレイ２６は、デジタルカメラ２４により撮影されてコントローラ３３から出力される動画像および静止画像を表示可能な表示手段である。ＣＲＴディスプレイ２６の表示画面３０は下方向に向けられていて、その表示内容は、上段１８と中段２０との間の中空な境界面３２を通して、中段２０のハーフミラー３４に投影される。デジタルカメラ２４と利用者１４との間に配置された傾斜したハーフミラー３４によれば、ＣＲＴディスプレイ２６および撮影室１２からの光の一部は相互に反射される。
【００２４】
撮影室１２からの光の一部は透過してデジタルカメラ２４に向かうが、デジタルカメラ２４側からの光は遮断され、撮影室１２に届かない。したがって、利用者１４は、ガラス窓３５を通してハーフミラー３４上の投影内容を確認できるが、デジタルカメラ２４は利用者１４からは見えない。しかし、撮影室１２からハーフミラー３４を透過してデジタルカメラ２４に到達する光によって、デジタルカメラ２４は利用者１４の画像を撮影可能である。
【００２５】
撮影室１２の床面には、顔画像の静止画像と指紋データを同時に取得する指令信号を入力する入力手段であるフットスイッチ３７が設けられており、利用者１４が足でフットスイッチ３７を踏込むことにより、顔画像の静止画像と指紋データを同時に取得する指令信号が入力される。フットスイッチ３７はコントローラ３３に接続されており、通常は作動できないようロックされている。フットスイッチ３７は、コントローラ３３において認証に利用可能な適切な指紋データが取得可能と判定されたときのみ、ロックが解除され、作動可能になる。
【００２６】
下段２２には、生体情報取得手段である指紋取得部４０と、操作用のタッチパネル４１と、カードライタ４２と、プリンタ４３と、モデム４４とが設けられている。指紋取得部４０と、操作用のタッチパネル４１と、カードライタ４２と、プリンタ４３と、モデム４４とはコントローラ３３に接続されている。なお、指紋取得部４０と、操作用のタッチパネル４１と、カードライタ４２とは、机部２１に収容されている。
【００２７】
指紋取得部４０は、半導体方式の指紋取得部であり、内部に移動可能なラインセンサを備え、このラインセンサの移動によって２次元的な画像の撮像を行い、指紋データを取得する。なお、本実施形態では、正式な指紋データの取得の前に簡易的な指紋データの予備取得を行い、そのときに認証に必要な所定数の特徴点が取得できたかどうか判定する。指紋データの特徴点とは、例えば、線の結合、分岐、終止、曲がり等である。
【００２８】
タッチパネル４１は、利用者１４の操作に基づく信号をコントローラ３３に出力する装置である。タッチパネル４１は、利用者の名前や、住民票コード番号あるいはパスポート番号等の個人情報を入力する情報入力画面と、利用者による操作を入力する操作入力画面とを切り換えて表示可能である。情報入力画面では、キーボードが表示され、操作入力画面では、図３に示すように顔写真の撮影を指示する撮影ボタン４８と、撮影された顔写真の中から後述する記録媒体に書き込む顔写真を選択する選択ボタン４９とが表示される。
【００２９】
カードライタ４２は、利用者１４の持参する記録媒体５１用の挿入口５２を有し、挿入された媒体に書き込み可能な装置である。記録媒体５１としては、フレキシブルディスク、スマートメディア（登録商標）、コンパクトフラッシュ（登録商標）、メモリースティック（登録商標）、ＳＤ（Ｓｅｃｕｒｅ  Ｄｉｇｉｔａｌ）メモリカード（登録商標）、ｘＤ（Ｅｘｔｒｅｍｅ  Ｄｉｇｉｔａｌ）ピクチャーカード（登録商標）等を用いることができる。カードライタ４２は、カメラ２４によって撮影された顔のデジタル画像データおよび指紋取得部４０により取得された指紋データを、記録媒体５１に書き込む。
【００３０】
プリンタ４３は、デジタルカメラ２４の撮影した画像を写真としてプリント可能である。プリントされた写真は、排出口５３から排出される。モデム４４は、利用者が希望する場合には、利用者の顔のデジタル画像データまた指紋データを通信回線６２を介して所定の拠点、例えば管理センター６６へ転送する転送手段である。
【００３１】
コントローラ３３では、顔画像、指紋データ、利用者の個人情報を対応付けて保存する。コントローラ３３では、これらにさらに、画像取得装置１０の固有識別番号、撮影日時データを対応付けて、保存することもできる。また、コントローラ３３で、上記の対応付けがされたデータを、モデム４４および通信回線６２を介して遠方の管理センター６６に送信することもできる。
【００３２】
なお、図１では図示の便宜上、装置１０の上段１８、中段２０および下段２２の内部を可視化して示しているが、実際は、タッチパネル４１、カードライタ４２の挿入口５２およびプリンタ４３の排出口５３以外は、壁によって隠されていて、利用者１４からは見えない。また、下段２２は、実際はさらに、料金投入口や返金口などの機構も備えているが、これらは図示を省略している。
【００３３】
装置１０の側壁７１には、利用者１４を継続的に撮影する監視用カメラ７４が備えられている。この監視用カメラ７４は、レンズの画角が広く、利用者の手と顔を同時かつともに撮影した監視画像を取得することができる。なお、監視カメラ７４は、指紋取得部４０の真横から１０ｃｍほど上の側壁７１に、指紋取得部４０と利用者の顔を撮影できるような配置で取り付けられている。監視用カメラ７４で撮影された監視画像は、コントローラ３３に出力される。
【００３４】
図４は図１のデジタルカメラ２４およびコントローラ３３の機能ブロック図である。光学レンズ８０は被写体である利用者１４からの光を受けて被写体像を撮像部８１の受光面へ結像する。撮像部８１としては、例えば、ＣＣＤ（Ｃｈａｒｇｅ  Ｃｏｕｐｌｅｄ  Ｄｅｖｉｃｅ）を使用可能である。撮像部８１で光電変換された画像信号はビデオ出力部８２に出力される。
【００３５】
ビデオ出力部８２は、通常、撮像部８１からの画像信号をそのまま出力端子を介してＣＲＴディスプレイ２６に送る。したがって、利用者１４の動画像は、デジタルカメラ２４に取り込まれて出力され、ＣＲＴディスプレイ２６に表示され、ハーフミラー３４によって反射されて利用者１４へ帰還する。このように動画像をそのまま利用者へ帰還させることを、以下、ビデオスルーと称する。利用者１４は、撮影前は、ビデオスルーにより、帰還した自己の動画像をリアルタイムに見ることができる。
【００３６】
撮像部８１から出力される画像信号は、Ａ／Ｄ変換器（Ａｎａｌｏｇｕｅ／Ｄｉｇｉｔａｌ  Ｃｏｎｖｅｒｔｅｒ；  ＡＤＣ）８３にも出力可能である。顔画像の撮影時には、Ａ／Ｄ変換器８３は、アナログ信号である画像信号をデジタル画像信号に変換し、メモリ８４へ保存する。
【００３７】
ＣＰＵ（Ｃｅｎｔｒａｌ  Ｐｒｏｃｅｓｓｉｎｇ  Ｕｎｉｔ）８５は、Ａ／Ｄ変換器８３、メモリ８４およびＤ／Ａ変換機（Ｄｉｇｉｔａｌ／Ａｎａｌｏｇｕｅ  Ｃｏｎｖｅｒｔｅｒ；  ＤＡＣ）８６に接続され、これらのユニットを制御する。撮影時には、ＣＰＵ８５は、Ａ／Ｄ変換器８３へ変換命令を発信し、動画像信号を１フレーム単位でＡ／Ｄ変換させる。ＣＰＵ８５は、デジタル化されメモリ８４に記録されたデジタル画像信号を取り込み、様々な画像処理を行って、メモリ８４に再格納することが可能である。
【００３８】
ＣＰＵ８５は、指紋取得部４０において認証に利用可能な指紋データが取得可能か否かを判定する判定手段として機能し、その判定結果を表示手段であるＣＲＴディスプレイ２６に表示させる。また、ＣＰＵ８５は、上記判定において取得可能と判定されたときにのみ、指紋データと顔画像とを同時取得を可能にするよう設定する制御手段としても機能し、取得可能と判定されたときにはフットスイッチ３７を作動可能にする。
【００３９】
さらに、ＣＰＵ８５は、デジタルカメラ２４で取得された利用者１４の顔画像および指紋データに、タッチパネル４１から入力された個人情報データ、例えば、利用者の名前や、住民票コード番号あるいはパスポート番号等を対応付ける。また、ＣＰＵ８５は、画像取得装置１０の固有識別番号および撮影日時データも対応付ける。
【００４０】
対応付けはあらゆる方法で行ってよく、例えば個人情報データを用いて顔画像に名前を付けることができる。あるいはテキストデータをデジタル画像データのヘッダ部分に記録して、一体的に扱い、メモリ８４に格納してもよい。このようにしてデジタル画像データに対応付けられた個人情報データによって、「誰に帰属するデータか」の識別が可能なデジタル画像データを作成することができる。
【００４１】
ＣＰＵ８５は、画像処理を行ったデジタル静止画像を出力し、Ｄ／Ａ変換機８６によりＤ／Ａ変換を行ってビデオ出力部８２に送ることができる。このとき、ビデオ出力部８２を制御し、ビデオスルーされているアナログ動画像信号に代えて、アナログ化された静止画像信号出力させることができる。これにより、撮影され、画像処理が施された静止画像を利用者に示すことができる。また、アナログ静止画像信号および動画像信号はカラーおよび白黒のいずれの形式でも出力することができる。
【００４２】
ＣＰＵ８５は、画像処理を施した撮影画像を自由にレイアウトしてＣＲＴディスプレイ２６に表示させることができる。また、画像の出力とともに、メモリ８４に予め用意された複数の静止画像をコマ送りに表示して簡単なアニメーションをＣＲＴディスプレイ２６に表示させることもできる。さらに、ビデオ出力部８２を介した自由なグラフィック出力が可能であり、利用者１４に対するメッセージをＣＲＴディスプレイ２６に表示させることができる。
【００４３】
ＣＰＵ８５はスピーカ２９にも接続され、予め用意された音声信号をスピーカ２９へ出力し、各動作に適合した操作指示を利用者１４に対して音声で指示可能である。
【００４４】
ＣＰＵ８５はプリンタ４３およびタッチパネル４１にも接続されている。画像処理を施された静止画像は、ＣＰＵ８５から、プリント命令とともにプリンタ４３へ出力することにより、写真としてプリント可能である。また、ＣＰＵ８５はタッチパネル４１からの操作命令を受信し、利用者１４の操作に従った処理を行う。
【００４５】
ＣＰＵ８５はさらに、ＲＯＭ（Ｒｅａｄ  Ｏｎｌｙ  Ｍｅｍｏｒｙ）８７に接続されている。ＲＯＭ８７は、少なくとも、複数の画像処理プログラムと、証明写真の要求仕様と、指紋認証の要求仕様とを記録する。証明写真の要求仕様は、少なくとも、プリントすべき写真のサイズ、および当該写真における頭部の大きさおよび位置に関する情報を含む。指紋認証の要求仕様は、少なくとも、指紋データを取得する指、および指紋認証に必要な特徴点に関する情報を含む。ＣＰＵ８５は、ＲＯＭ８７にアクセスし、各種プログラムと写真の要求仕様とを、適宜読み込み、メモリ８４から取り込んだ静止顔画像に対して、要求仕様に適合した写真を作成するための画像処理、および指紋データを取得するための画像処理を行う。
【００４６】
次に、図５を参照しながら画像取得装置１０の動作例について説明する。図５は画像取得装置１０の動作を説明するフローチャートである。本実施の形態の動作はすべて、スピーカ２９の音声メッセージに促されて行われる。最初の状態では、フットスイッチ３７は作動できないようにロックされている。利用者１４は、まず料金を投入する（ステップ１００）。これにより画像取得装置１０が起動する。次に記録媒体５１をカードライタ４２の挿入口５２へ挿入する（ステップ１０１）。その後情報入力画面（キーボード）が表示されているタッチパネル４１から氏名、住民票コードなどの個人情報を入力する（ステップ１０２）。
【００４７】
次に、利用者１４は、左右の人差し指を指紋取得部４０に配置する。指紋取得部４０のラインセンサが作動して指紋データの予備取得が行われ、コントローラ３３は、予備取得された指紋データから特徴点を抽出し、指紋認証に必要な特徴点が所定数以上取得できるか否か、すなわち認証に利用可能な指紋データを取得可能な状態にあるか否かを判定する（ステップ１０３）。
【００４８】
そして、コントローラ３３は、判定結果をＣＲＴディスプレイ２６に表示する（ステップ１０４）。判定結果は図６に例示するように、ＣＲＴディスプレイ２６の画面の顔画像を表示する顔画像表示領域９１の周囲に、判定結果を表示する枠状の判定結果表示領域９２を表示させ、判定結果表示領域９２の色により判定結果を表示するようにしてもよい。例えば、指紋認証に必要な特徴点が４つであり、４つの特徴点が取得可能であるときには判定結果表示領域９２の色を緑色にし、３つの特徴点のみ取得可能であるときには判定結果表示領域９２の色を黄色にし、２つ以下の特徴点のみ取得可能であるときには判定結果表示領域９２の色を赤色にするようにしてもよい。
【００４９】
このように、本実施形態の画像取得装置１０では、判定結果を表示する位置を、利用者１４が顔画像および指紋データを同時取得中に目線を変えることなく視認可能な位置となるよう、ＣＲＴディスプレイ２６に判定結果を表示するようにしている。また、色により判定結果を表示するようにしているため、利用者１４は、一目で容易に判定結果を認識することができる。
【００５０】
指紋認証に利用可能なデータを取得できないと判定された場合には、ステップ１０３へ戻り、判定を続け、指紋認証に利用可能なデータを取得可能であると判定された場合には、ステップ１０６へ進み（ステップ１０５）、コントローラ３３はフットスイッチ３７のロックを解除し、フットスイッチ３７を作動可能にする（ステップ１０６）。利用者１４はフットスイッチ３７を踏込み（ステップ１０７）、これにより顔画像と指紋データを同時に取得する指令信号が入力されて、顔画像と指紋データが同時に取得される（ステップ１０８）。
【００５１】
顔画像と指紋データが同時に取得されると、コントローラ３３は照明装置２５を作動させて照明光の色温度を変更し（ステップ１０９）、メモリ８４に顔画像データが３枚保存されているか否かを判定する（ステップ１１０）。３枚保存されていない場合には、ステップ１０７へ戻り、利用者１４へフットスイッチ３７の再踏込みを促す。顔画像と指紋データが取得される度、照明装置２５の照明光の色温度は変更される。こうして、照明光の色温度の異なる顔画像が取得され、それが３枚保存されている場合には、これら３枚の顔画像データをＣＲＴディスプレイ２６に表示する（ステップ１１１）。利用者１４は、選択ボタン４９により好みの肌色の顔画像データを選択する（ステップ１１２）。
【００５２】
そして、コントローラ３３は、顔画像、指紋データ、利用者の名前や、住民票コード番号あるいはパスポート番号等の個人情報、画像取得装置１０の固有識別番号、撮影日時データの情報を対応付ける。また、取得された指紋データおよび顔画像を真正の指紋データおよび顔画像としてメモリ８４へ保存し（ステップ１１３）、カードライタ４２の挿入口５２に挿入されている記録媒体５１へ、ステップ１１１で対応付けされた上記情報を書き込む。
【００５３】
以上の説明で明らかなように、本実施形態である画像取得装置１０は、指紋認証に利用可能な指紋データを取得可能であると判定されたときのみ、指紋データおよび顔画像の同時取得を可能にするようにしているため、顔画像の取得と同時に指紋認証に利用可能なデータを容易に確実に取得でき、指紋データおよび顔画像取得時のすりかわりを防止することができる。
【００５４】
なお、上記実施形態では、認証に利用可能な利用者の手に属する生体情報が取得可能な状態にあるか否かの判定は、所定数の特徴点が取得可能か否かにより判定したが、これに限定されるものではなく、例えば、指紋取得部に接触している指の面積が所定大きさ以上であるか否かにより判定するようにしてもよい。
【００５５】
また、上記実施形態では、認証に利用可能な利用者の手に属する生体情報が取得可能な状態にあるか否かの判定結果をＣＲＴディスプレイ２６上に顔画像の周囲の枠の色で表示するようにしたが、本発明はこれに限定されるものではなく、利用者１４が顔画像等を取得中に目線を変えることなく視認可能な位置に判定結果が表示されればよく、顔画像の周囲の一部や、顔画像中に表示するようにしてもよい。
【００５６】
なお、上記例では、顔画像および指紋データを同時取得する指令信号の入力手段としてフットスイッチ３７を用いているが、別の手段により取得するようにしてもよい。例えば、利用者の視線を検出して作動する視線スイッチや、利用者の発生する音声を認識して作動する音声スイッチ等を採用してもよい。あるいは、指紋データおよび顔画像の同時取得を可能に設定してから、所定時間経過後に自動的に指紋データおよび顔画像を同時に取得するようにしてもよく、具体的には例えば、上記実施形態において指紋認証に利用可能な指紋データが取得可能であると判定されて、判定結果表示領域９２の色が緑色になった直後にカウントダウンを開始し、カウントダウンが終了した時に自動的に指紋データおよび顔画像を同時に取得するようにしてもよい。
【００５７】
また、上記例では、左右の人差し指の指紋データを取得するようにしたが、これに限定されるものではなく、任意の指の指紋データを取得するようにしてもよい。また、保存する生体情報は、例えば生体情報が指紋である場合には、指紋の画像であってもよいし、あるいは指紋の特徴点であってもよく、すなわち、生体認証に利用可能な形態であれば、いかなる形態の生体情報であってもよい。
【００５８】
なお、利用者が希望する場合には、対応付けされた上記情報を通信回線６２を介して所定の拠点、例えば管理センター６６へ転送してもよいし、あるいはプリントアウトしてもよい。また、コントローラ３３は、対応付けされた上記情報を、所定期間保存してもよい。
【図面の簡単な説明】
【００５９】
【図１】本発明の実施の形態による画像取得装置の概略構成図
【図２】図１に示す画像取得装置の外観図
【図３】操作入力画面の説明図
【図４】図１に示すデジタルカメラおよびコントローラの機能ブロック図
【図５】図１に示す画像取得装置の動作を説明するフローチャート
【図６】判定結果の表示例を説明するための図
【符号の説明】
【００６０】
１０    画像取得装置
１２    撮影室
１４    利用者
２４    デジタルカメラ
２５    照明装置
２６    ＣＲＴディスプレイ
３３    コントローラ
３７    フットスイッチ
４０    指紋取得部
４１    タッチパネル
４２    カードライタ
４３    プリンタ
４４    モデム
５３    排出口
６２    通信回線
６６    管理センター
８１    撮像部
８４    メモリ
８５    ＣＰＵ
９１    顔画像表示領域
９２    判定結果表示領域
【図１】
2007272523.tif 000003
【図２】
2007272523.tif 000004
【図３】
2007272523.tif 000005
【図４】
2007272523.tif 000006
【図５】
2007272523.tif 000007
【図６】
2007272523.tif 000008